(57)【要約】本発明の目的は、複数の映像記録装置に映像データ別の記録領域を設定することによって冗長性を確保することにある。本発明の映像記録システムは、複数のカメラと映像記録装置とをネットワークを介して接続した映像記録システムであって、映像記録装置は複数の映像データ記録装置を有し、カメラから送信された映像データをカメラ毎に設定した領域に記録することを特徴とする。また、複数のカメラから出力された映像データを記録する映像記録装置であって、カメラから送信された映像データをカメラ毎に設定した領域に記録することを特徴とする。
2018056003.tif 000002
【特許請求の範囲】
【請求項１】
複数のカメラと映像記録装置とをネットワークを介して接続した映像記録システムであって、
前記映像記録装置は、複数の映像データ記録装置を有し、前記カメラから送信された映像データを前記カメラ毎に設定した領域に記録することを特徴とする映像記録システム。
【請求項２】
請求項１に記載の映像記録システムであって、
前記複数の映像データ記録装置は、１台の前記カメラから送信された映像データを所定の領域に跨って記録することを特徴とする映像記録システム。
【請求項３】
複数のカメラから出力された映像データを記録する映像記録装置であって、
前記カメラから送信された映像データを前記カメラ毎に設定した領域に記録することを特徴とする映像記録装置。
【発明の詳細な説明】
【技術分野】
【０００１】
本発明は、映像記録システムおよび映像記録装置に関するものである。
【背景技術】
【０００２】
近年、ネットワークを介して映像データ（映像信号）が映像記録装置等に記録されるようになった。【０００３】
先行技術文献としては、例えば、特許文献１に、映像取得装置により取得された映像データを複数の映像蓄積装置により蓄積するに際して、効果的に映像データを蓄積する発明が開示されている。
また、先行技術文献としては、例えば、特許文献２に、信頼性の高い映像記録システムおよび映像記録方法の発明が開示されている。
【先行技術文献】
【特許文献】
【０００４】
【特許文献１】特許登録第４５１４７２４号公報
【特許文献２】特許登録第４５０５４２１号公報
【発明の概要】
【発明が解決しようとする課題】
【０００５】
本発明の目的は、複数の映像記録装置に映像データ別の記録領域を設定することによって冗長性を確保することにある。
【課題を解決するための手段】
【０００６】
本発明の映像記録システムは、複数のカメラと映像記録装置とをネットワークを介して接続した映像記録システムであって、映像記録装置は複数の映像データ記録装置を有し、カメラから送信された映像データをカメラ毎に設定した領域に記録することを特徴とする。【０００７】
また、複数の映像データ記録装置は、１台の前記カメラから送信された映像データを所定の領域に跨って記録することが好ましい。【０００８】
さらに、本発明の映像記録装置は、複数のカメラから出力された映像データを記録する映像記録装置であって、カメラから送信された映像データをカメラ毎に設定した領域に記録することを特徴とする。
【発明の効果】
【０００９】
本発明によれば、複数の映像記録装置に映像データ別の記録領域を設定することによって冗長性を確保できる。
【図面の簡単な説明】
【００１０】
【図１】映像記録システムを示す図である。
【図２】本発明の一実施例に係る映像記録装置の動作を説明するための図である。
【図３】本発明の一実施例に係る映像記録装置の記録配信アプリケーションを説明するための図である。
【図４】本発明の一実施例に係る映像記録装置のカメラ受信アプリケーション４９３を説明するための図である。
【図５】本発明の一実施例に係る映像記録装置のカメラ受信アプリケーション５９４を説明するための図である。
【発明を実施するための形態】
【００１１】
以下、本発明の実施形態について図面を参照して詳細に説明する。
図１は映像記録システムを示す図である。
図１において、映像記録システムは、ＩＰ（Internet  Protocol）等のネットワークに接続するためのインタフェースを有するカメラ１１１〜１１Ｎ（Ｎは正数）、ＰＣ（Personal  Computer）１０３、映像記録装置１０４がネットワーク１０２を介して接続されている。
【００１２】
カメラ１１１〜１１Ｎは、撮影した映像データ（映像信号）をＪＰＥＧ（Joint  Photographic  Experts  Group）やＨ．２６４等のコーデックで圧縮し、ネットワーク１０２を介してＰＣ１０３または映像記録装置１０４に送信する。
ＰＣ１０３は、カメラ１１１〜１１Ｎと映像記録装置１０４の設定や管理を行う。また、ＰＣ１０３は、カメラ１１１〜１１Ｎや映像記録装置１０４から出力される映像データを表示する。
【００１３】
映像記録装置１０４は、複数の記録デバイスである映像データ記録装置１０５−１，１０５−２（映像データ記録装置を代表する場合は１０５と称する）を有している。
映像データ記録装置１０５は、ＨＤＤ（Hard  Disc  Drive）やＳＳＤ（Solid  State   Drive）等の記憶媒体である。
映像記録装置１０４は、例えば、録画対象カメラの映像データ毎に、記録領域を確保し、循環記録を行う。
循環記録とは、記録領域内に空き領域がなくなった場合には、古いデータから上書きしていく方式である。
【００１４】
次に、映像記録装置１０４において、映像データ記録装置１０５が複数ある場合の映像データの管理方法について説明する。
映像データ記録装置１０５が複数ある場合は、ＲＡＩＤ（Redundant  Arrays  of  Inexpensive  Disks、またはRedundant  Arrays  of  Independent  Disks）構成を用いる事が一般的である。
【００１５】
映像データ記録装置１０５が２台の場合には、ＲＡＩＤ０(ストライピング）またはＲＡＩＤ１（ミラーリング）が選択肢となる。
ミラーリングは、同じ映像データを異なる映像データ記録装置１０５に２重に記録する方式であり、映像データ記録装置１０５が一つ故障した場合にも、映像データにアクセス可能となるメリットがあるが、２重に記録する分、記録容量も２倍となるデメリットもある。
【００１６】
次に映像記録装置１０４の動作について、図２を用いて説明する。
図２は本発明の一実施例に係る映像記録装置の動作を説明するための図である。
図２の映像記録装置１０４は、４台のカメラ１１１〜１１４の映像データ２１１〜２１４を２台の映像データ記録装置２５１，２５２で記録する場合である。
【００１７】
カメラ１１１領域２６１は、カメラ１１１から出力された映像データ２１１の記録領域であり、映像データ記録装置２５１に割り当てる。
カメラ１１２領域２６２は、カメラ１１２から出力された映像データ２１２の記録領域であり、映像データ記録装置２５２に割り当てる。
【００１８】
カメラ１１３領域２６３１とカメラ１１３領域２６３２は、カメラ１１３から出力された映像データ２１３の記録領域であり、同じ映像データを２重に記録するミラーリング構成である。
カメラ１１４領域２６４は、カメラ１１４から出力された映像データ２１４の記録領域であり、映像データ記録装置２５１と映像データ記録装置２５２に跨いで領域を割り当てる。
【００１９】
用途例１として、カメラ１１１とカメラ１１２は設置場所が近く、どちらか一方の映像データを記録すれば良い場合である。
この場合には、映像データ記録装置毎に、それぞれカメラ領域を割り当てる運用が適する。
【００２０】
用途例２として、カメラ１１３の映像データ２１３は重要で、抜けないように記録するためには、２重に記録を行う運用が適する。
用途例３として、カメラ１１４の映像データ２１４は保持期間を長くする事を優先して、割り当てる容量を大きくする運用に適する。
【００２１】
次に、録画領域２６１〜２６４ を共存するためのソフトウェアの構成について図３〜図５を用いて説明する。
図３は本発明の一実施例に係る映像記録装置の記録配信アプリケーションを説明するための図である。
ソフトウェア３００の記録配信アプリケーションは、映像データ記録装置毎に有する。
記録配信アプリケーション３８１は、映像データ記録装置２５１に対して、映像データ「Ａ」３７１０の記録と読み出しを行う。
記録配信アプリケーション３８２は、映像データ記録装置２５２に対して、映像データ「Ｂ」３７２０の記録と読み出しを行う。
【００２２】
カメラ受信アプリケーション３９１は カメラ１１１から映像データ２１１である「Ａ」３７１を受信し、受信時刻や付属情報を付与した映像データ「Ａ」３７１０を、記録配信アプリケーション３８１へ送信する。記録配信アプリケーション３８１は受信した映像データ「Ａ」３７１０をカメラ１１１領域２６１に循環記録する。
【００２３】
カメラ受信アプリケーション３９２は カメラ１１２から映像データ２１２である「Ｂ」３７２を受信し、受信時刻や付属情報を付与した映像データ「Ｂ」３７２０を、記録配信アプリケーション３８２へ送信する。記録配信アプリケーション３８２は受信した映像データ「Ｂ」３７２０をカメラ１１２領域２６２に循環記録する。
【００２４】
図４は本発明の一実施例に係る映像記録装置のカメラ受信アプリケーション４９３を説明するための図である。
ソフトウェア４００のカメラ受信アプリケーション４９３は カメラ１１３からの映像データ２１３である「Ｃ」４７３を受信し、受信時刻や付属情報を付与した映像データ「Ｃ」４７３１と映像データ「Ｃ」４７３２を作成する。映像データ「Ｃ」４７３１と「Ｃ」４７３２は同一の映像データである。
【００２５】
カメラ受信アプリケーション４９３は、映像データ「Ｃ」４７３１を記録配信アプリケーション３８１へ送信する。
また、カメラ受信アプリケーション４９３は、映像データ「Ｃ」４７３２を記録配信アプリケーション３８２へ送信する。
【００２６】
記録配信アプリケーション３８１は受信した映像データ「Ｃ」４７３１をカメラ１１３領域２６３１（ミラー１）に循環記録する。
記録配信アプリケーション３８２は受信した映像データ「Ｃ」４７３２をカメラ１１３領域２６３２（ミラー２）に循環記録する。
【００２７】
図５は本発明の一実施例に係る映像記録装置のカメラ受信アプリケーション５９４を説明するための図である。
ソフトウェア４００のカメラ受信アプリケーション５９４は カメラ１１４からの映像データ２１４である「Ａ」５７４、「Ｂ」５７５、「Ｃ」５７６、「Ｄ」５７７を受信した場合に、交互に記録配信アプリケーション３８１と３８２に映像データを送信する。
【００２８】
カメラ受信アプリケーション５９４は、    受信した映像データ「Ａ」５７４に付属情報を付与し映像データ「Ａ」５７４０として記録配信アプリケーション３８１へ送信し、    受信した映像データ「Ｂ」５７５に付属情報を付与し映像データ「Ｂ」５７５０として記録配信アプリケーション３８２へ送信し、受信した映像データ「Ｃ」５７６に付属情報を付与し映像データ「Ｃ」５７６０として記録配信アプリケーション３８１へ送信し、受信した映像データ「Ｄ」５７７に付属情報を付与し映像データ「Ｄ」５７７０として記録配信アプリ８２ケーション３へ送信する。
【００２９】
カメラ１１４領域２６４は、映像データ記録装置２５１上のカメラ１１４領域６４１と、映像データ記録装置２５２上のカメラ領域６４２の、独立した領域で構成するが、映像データは交互に入れることで、記録時間の倍化を行い、一方の記録デバイスのみを用いる場合にも、フレームレートが半減した映像にアクセス可能である。
【００３０】
上述の実施例は、クラウドコンピューティング環境でも適用できる。
例えば、OpenStakと呼ばれる技術のCinder（ブロックストレージのAPI(Application  Programming  Interface)）にも適用することができる。
【００３１】
本発明の実施形態である映像記録システムは、複数の映像記録装置に映像データ別の記録領域を設定することによって冗長性を確保できる。
【００３２】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００３３】
複数の映像記録装置に映像データ別の記録領域を設定することによって、冗長性を確保したい用途に適用できる。この出願は、２０１６年９月２６日に出願された日本出願特願２０１６−１８６９５５を基礎として優先権の利益を主張するものであり、その開示の全てを引用によってここに取り込む。
【符号の説明】
【００３４】
１１１〜１１Ｎ：カメラ、１０２：ネットワーク、１０３：ＰＣ、１０４：映像記録装置、１０５，１０５−１，１０５−２，２５１，２５２：映像データ記録装置、３００，４００，５００：ソフトウェア、３９１，３９２，４９３，５９４：カメラ受信アプリケーション、３８１，３８２：記録配信アプリケーション。
【図１】
2018056003.tif 000003
【図２】
2018056003.tif 000004
【図３】
2018056003.tif 000005
【図４】
2018056003.tif 000006
【図５】
2018056003.tif 000007
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
複数のカメラと映像記録装置とをネットワークを介して接続した映像記録システムにおいて、
前記映像記録装置は、複数の映像データ記録装置を有し、前記カメラから送信された映像データを前記カメラ毎に設定した前記複数の映像データ記録装置のうちの少なくとも２つ以上の領域に記録し、且つ、カメラ毎に設定した領域に当該カメラの映像データを循環記録による上書きで記録することを特徴とする映像記録システム。
【請求項２】
請求項１に記載の映像記録システムであって、
前記複数の映像データ記録装置は、１台の前記カメラから送信された同一の映像データを当該カメラ毎に設定した前記複数の映像データ記録装置のうちの少なくとも２つ以上の領域の各々に記録することを特徴とする映像記録システム。
【請求項３】
請求項１に記載の映像記録システムであって、
前記複数の映像データ記録装置は、１台の前記カメラから送信された映像データを当該カメラ毎に設定した前記複数の映像データ記録装置のうちの少なくとも２つ以上の領域に分割して記録することを特徴とする映像記録システム。
【請求項４】
請求項１乃至３の何れかに記載の映像記録システムであって、
前記カメラから送信された映像データに少なくとも受信時刻と付属情報を付与した映像データとして前記映像記録装置に記録することを特徴とする映像記録システム。
【国際調査報告】
2018056003.tif 000008
2018056003.tif 000009
2018056003.tif 000010
2018056003.tif 000011